(57)【要約】【課題】竿尻ゴムに回転機能を備えると共に尻栓の脱落が防止された釣竿を提供することである。【解決手段】元竿１の後端部１ａの内周に雌ネジ１ｂが形成され、雌ネジ１ｂには尻栓２が螺合され、尻栓２は竿尻リング２ａの前側に筒部２ｂが、筒部２ｂ外周に雄ネジ部２ｃが形成され、竿尻リング２ａの後側には段部で小径の周溝２ｄとフランジ部２ｅが形成されて中心に筒部２ｆと孔部２ｇが形成されている。尻栓２の後端部には硬質リング状部材４と竿尻ゴム５が取り付けられる。硬質リング状部材４は金属材や合成樹脂等で形成され、形状は、内周４ａ形状が略楕円形で短軸径αは前記フランジ部２ｅ外径未満で長軸径βは前記フランジ部２ｅ外径より大きく、竿尻ゴム５の外殻部５ａの前端部に接着又は一体成形により固定されている。竿尻ゴム５は断面Ｃ字形の外殻部５ａの中心内側に筒状の突起５ｂが形成されている。【選択図】        図２
2004254623.tif 000002
【特許請求の範囲】
【請求項１】
元竿端部に螺合により着脱自在に装着される尻栓を備えた釣竿において、前記尻栓は元竿端部に装着される後端部に竿尻ゴムを嵌合するフランジ部を有する竿尻リングと竿尻ゴム前端部に硬質リング状部材を連接させた竿尻ゴムとを備え、前記硬質リング状部材の内周形状は略楕円形で短軸径は前記フランジ部外径未満で長軸径は前記フランジ部外径より大きい事を特徴とする釣竿。
【請求項２】
竿尻ゴム中央部の突起が竿尻リング中央部の孔部に遊嵌で挿入されている事を特徴とする請求項１記載の釣竿。
【発明の詳細な説明】
【０００１】
【発明の属する技術分野】
本発明は、元竿端部に着脱自在に装着した尻栓に取り付ける竿尻ゴムの取付構造を改善した釣竿の改良に関する。
【０００２】
【従来の技術】
従来元竿端部には尻栓が螺合によって着脱自在に装着され、この尻栓には竿尻ゴムが取り付けられている。
従来尻栓に竿尻ゴムを取り付ける時は、尻栓の後端に鍔部が設けられるように周溝が形成され、竿尻ゴムの前端に周溝に嵌まる中心方向に向けて突出する鍔部を設けて尻栓の後端鍔部に竿尻ゴムの前端鍔部を係止していた。
前記のように尻栓の後端鍔部に竿尻ゴムの前端鍔部を係止すると、両者の摩擦係合力が強いと、竿尻ゴムを釣り人の衣服の腹部に当てて釣竿操作が行われている間に元竿端部と尻栓の螺合が緩み、尻栓が元竿から離脱してしまう欠点があった。
尻栓に対して竿尻ゴムが回動自在の構造が知られている。（例えば特許文献１参照）
【０００３】
【特許文献１】実公平３−１０８５３号公報
【０００４】
特許文献１には、キャップを後端に固定した尻栓本体を元竿の後端に、その後端とキャップとの間に弾性部材等からなるスペ−サを介在して固定すると共に、キャップの外向きフランジの外周を回転代を有して覆う程度の尻ゴム端部を設けた尻ゴムと回転板とを一体化しキャップ後端に、該キャップとの間に回転代を有して回転軸により回転自在に取付けてなる釣竿の尻栓が示されている。
【０００５】
前記特許文献１では、キャップの外向きフランジの外周を回転代を有して覆う尻ゴムと回転板とを一体化し、回転軸により回転自在に取付けている。
しかし、構造が複雑で形状が大きくなり、コスト、重量面で難がある。
【０００６】
【発明が解決しようとする課題】
解決しようとする課題は、尻栓の後端鍔部に竿尻ゴムの前端鍔部を係止する構造では、元竿端部と尻栓の螺合が緩み、尻栓が元竿から離脱してしまう欠点があり、特許文献１のようにキャップの外向きフランジの外周を回転代を有して覆う尻ゴムと回転板とを一体化し、回転軸により回転自在に取付けると、構造が複雑で形状が大きくなり、コスト、重量面で難がある。
ことである。
【０００７】
本発明の目的は前記欠点に鑑み、竿尻ゴムに回転機能を備えると共に尻栓の脱落が防止された釣竿を提供することである。
【０００８】
【課題を解決するための手段】
上記課題を解決するために、
請求項１に係わる本発明は、元竿端部に螺合により着脱自在に装着される尻栓を備えた釣竿において、前記尻栓は元竿端部に装着される後端部に竿尻ゴムを嵌合するフランジ部を有する竿尻リングと竿尻ゴム前端部に硬質リング状部材を連接させた竿尻ゴムとを備え、前記硬質リング状部材の内周形状は略楕円形で短軸径は前記フランジ部外径未満で長軸径は前記フランジ部外径より大きい事を要旨とするものである。
請求項２に係わる本発明は、竿尻ゴム中央部の突起が竿尻リング中央部の孔部に遊嵌で挿入されていることを要旨とするものである。
【０００９】
【発明の実施の形態】
本発明においては、構造が簡単で、尻栓２のフランジ部２ｅ外径に対して硬質リング状部材４の内周４ａは、フランジ部２ｅ外径未満の短軸径αとフランジ部２ｅ外径より大きい長軸径β及び竿尻ゴム５の外殻部５ａと中央部の突起５ｂの弾性変形を利用して係止しているので、係止し易いと共に脱落し難い。
竿尻ゴム５は中央部の突起５ｂで尻栓２の孔部２ｇに支持されているので、竿尻ゴム５が大きくズレることがないので、脱落し難い。
尻栓２の竿尻リング２ａ後側とフランジ部２ｅの前側の間に、竿尻ゴム５の外殻部５ａの前端部に接着固定された硬質リング状部材４が配置されると、釣り人の衣服の腹部に当てられる竿尻ゴム５の外殻部５ａはソフトで、外殻部５ａの周囲は硬質リング状部材４で変形が抑えられてめくれ難く、外れ難い。
竿尻リング２ａ後側に接触する部分が硬質リング状部材４なので滑り抵抗が小さく、竿尻ゴム５の回転がスム−ズになる。
【００１０】
【実施例】
以下、本発明を実施例で図面に基づき説明すると、図１は釣竿の側面図、図２は尻栓の一部断面側面図、図３は尻栓の分解説明図で（ａ）は竿尻ゴムの断面側面図で（ｂ）は硬質リング状部材の平面図で（ｃ）は竿尻リングの断面側面図、図４は尻栓の竿尻リングに硬質リング状部材付竿尻ゴムが取り付けられる工程説明断面側面図である。
【００１１】
釣竿は、元竿１の前側に順次中竿１０、１１、１２が振り出し式に継合され、中竿１２の前側に穂先竿１３が振り出し式に継合されている。
穂先竿１３先端にトップガイド１４が固定されている。
元竿１にはリ−ル装着部１５と釣糸導入部１６が設けられている。
元竿１の後端部１ａの内周に雌ネジ１ｂが形成されている。
元竿１の後端部１ａの雌ネジ１ｂには尻栓２が螺合され、元竿１の後端部１ａと尻栓２の竿尻リング２ａの間にＯリング３が挟み込まれている。
尻栓２の後端部には硬質リング状部材４と竿尻ゴム５が取り付けられる。
【００１２】
尻栓２は竿尻リング２ａの前側に筒部２ｂが一体に形成されて筒部２ｂ外周に雄ネジ部２ｃが形成されている。
竿尻リング２ａの後側には段部で小径の周溝２ｄとフランジ部２ｅが形成されて中心に筒部２ｆが一体に形成されている。
筒部２ｆには孔部２ｇが形成され、筒部２ｆは尻栓２の前側まで突出されている。
【００１３】
硬質リング状部材４はアルミ、ステンレス、真鍮、チタン等の金属材やＡＢＳ樹脂、ポリオキシメチレン（ポリアセタール樹脂）、ナイロン樹脂、繊維強化樹脂（ＦＲＰ）、ポリカ−ボネィト（ＰＣ）樹脂等で形成されている。
硬質リング状部材４の形状は、内周４ａ形状が略楕円形で短軸径αは前記フランジ部２ｅ外径未満で長軸径βは前記フランジ部２ｅ外径より大きく、厚さは０．１〜０．５ｍｍで好ましくは０．３ｍｍである。
図３（ｂ）で２点鎖線の円γはフランジ部２ｅの外径である。
竿尻ゴム５は断面Ｃ字形の外殻部５ａの中心内側に筒状の突起５ｂが形成されている。
突起５ｂは尻栓２の孔部２ｇに遊嵌されている。
外殻部５ａの前端部には硬質リング状部材４が接着又は一体成形により固定されている。
【００１４】
硬質リング状部材４が連接された竿尻ゴム５が尻栓２のフランジ部２ｅに係止される時は図４のように、竿尻ゴム５の突起５ｂが竿尻リング２ａの孔部２ｇの中に挿入され、竿尻ゴム５が傾けられて硬質リング状部材４の内周４ａの短軸径αの一側がフランジ部２ｅの前側の周溝２ｄの中に当てられて長軸径βでフランジ部２ｅの外径が乗り越えられる。
この時フランジ部２ｅに当たった外殻部５ａの内側はゴム材なので圧縮変形して硬質リング状部材４の内周４ａがフランジ部２ｅ外周を乗り越えることができる。  図４で重なっている突起５ｂと孔部２ｇの部分はゴム材の変形で挿通することができる。
前記係止工程を逆にたどれば離脱することができる。
【００１５】
前記のように尻栓２のフランジ部２ｅ外径に対して硬質リング状部材４の内周４ａは、フランジ部２ｅ外径未満の短軸径αとフランジ部２ｅ外径より大きい長軸径β及び竿尻ゴム５の外殻部５ａと中央部の突起５ｂの弾性変形を利用して係止している。
竿尻ゴム５は中央部の突起５ｂで尻栓２の孔部２ｇに支持されているので、大きくズレることがない。
尻栓２の竿尻リング２ａ後側とフランジ部２ｅの前側の間に、竿尻ゴム５の外殻部５ａの前端部に接着又は一体成形により固定された硬質リング状部材４が配置されると、釣り人の衣服の腹部に当てられる竿尻ゴム５の外殻部５ａはソフトで、外殻部５ａの周囲は硬質リング状部材４で変形が抑えられている。
竿尻リング２ａ後側に接触する部分が硬質リング状部材４なので滑り抵抗が小さくなる。
【００１６】
前記のように釣竿が構成されると、構造が簡単で、尻栓２のフランジ部２ｅ外径に対して硬質リング状部材４の内周４ａは、フランジ部２ｅ外径未満の短軸径αとフランジ部２ｅ外径より大きい長軸径β及び竿尻ゴム５の外殻部５ａと中央部の突起５ｂの弾性変形を利用して係止しているので、係止し易いと共に脱落し難い。
竿尻ゴム５は中央部の突起５ｂで尻栓２の孔部２ｇに支持されているので、竿尻ゴム５が大きくズレることがないので、脱落し難い。
尻栓２の竿尻リング２ａ後側とフランジ部２ｅの前側の間に、竿尻ゴム５の外殻部５ａの前端部に接着又は一体成形により固定された硬質リング状部材４が配置されると、釣り人の衣服の腹部に当てられる竿尻ゴム５の外殻部５ａはソフトで、外殻部５ａの周囲は硬質リング状部材４で変形が抑えられてめくれ難く、外れ難い。
竿尻リング２ａ後側に接触する部分が硬質リング状部材４なので滑り抵抗が小さく、竿尻ゴム５の回転がスム−ズになる。
【００１７】
【発明の効果】
本発明は、以上説明したような形態で実施され、以下に記載されるような効果を奏する。
【００１８】
請求項１により、構造が簡単で、尻栓のフランジ部外径に対して硬質リング状部材の内周は、フランジ部外径未満の短軸径とフランジ部外径より大きい長軸径及び竿尻ゴムの外殻部と中央部の突起の弾性変形を利用して係止しているので、係止し易いと共に脱落し難い。
尻栓の竿尻リング後側とフランジ部の前側の間に、竿尻ゴムの外殻部の前端部に接着又は一体成形により固定された硬質リング状部材が配置されると、釣り人の衣服の腹部に当てられる竿尻ゴムの外殻部はソフトで、外殻部の周囲は硬質リング状部材で変形が抑えられてめくれ難く、外れ難い。
竿尻リング後側に接触する部分が硬質リング状部材なので滑り抵抗が小さく、竿尻ゴムの回転がスム−ズになる。
請求項２により、竿尻ゴムは中央部の突起で尻栓の孔部に支持されているので、竿尻ゴムが大きくズレることがなく、脱落し難い。
【図面の簡単な説明】
【図１】釣竿の側面図である。
【図２】尻栓の一部断面側面図である。
【図３】尻栓の分解説明図で（ａ）は竿尻ゴムの断面側面図で（ｂ）は硬質リング状部材の平面図で（ｃ）は竿尻リングの断面側面図である。
【図４】尻栓の竿尻リングに硬質リング状部材付竿尻ゴムが取り付けられる工程説明断面側面図である。
【符号の説明】
１  元竿
２  尻栓
２ａ  竿尻リング
２ｅ  フランジ部
２ｇ  孔部
４  硬質リング状部材
４ａ  内周
５  竿尻ゴム５
５ｂ  中央部の突起
α  短軸径
β  長軸径
【図１】
2004254623.tif 000003
【図２】
2004254623.tif 000004
【図３】
2004254623.tif 000005
【図４】
2004254623.tif 000006